(57)【要約】【課題】複数のコンロ燃焼時でも吸気が確保でき、かつ熱効率や見栄えを損なわない燃焼構成を提供する。【解決手段】キッチンカウンター１４の開口部１４ａに組み込み設置されるコンロ本体１と、前記コンロ本体の上部を覆う天板１３と、前記コンロ本体内に設け、前記天板上に臨むバーナ１５と、前記コンロ本体内に設け前記バーナにガスの供給、遮断とガス流量を制御して火力調節を行うガス流量制御装置１６および前記ガス流量制御装置を制御し、バーナの点火−消火および火力調節の指示をする制御手段２３と、前記制御手段にバーナの点火−消火および火力調節等の信号を送る電気的接点方式の操作部２５とを備え、前記制御手段に複数のコンロ使用時に各コンロのガス消費量の総和が一定量を超えないよう各コンロの火力を調節する機能を設けた構成もしくはガス消費量の総和が一定量を超えた場合にファンを作動させ１次空気の吸気を補助する機能を設けたものである。【選択図】図２
2006317064.tif 000002
【特許請求の範囲】
【請求項１】
コンロ本体と、前記コンロ本体の上部を覆う天板と、前記コンロ本体内に設け、前記天板上に臨むバーナと、前記コンロ本体内に設け、前記バーナにガスの供給、遮断とガス流量を制御して火力調節を行うガス流量制御装置および前記ガス流量制御装置を制御し、バーナの点火−消火および火力調節の指示をする制御手段と、前記制御手段にバーナの点火−消火および火力調節等の信号を送る電気的接点方式の操作部とを備え、前記制御手段に複数のコンロ使用時に各コンロのガス消費量の総和が一定量を超えないように、各コンロの火力を調節する機能を設けたガスコンロ。
【請求項２】
複数のコンロ使用時に各コンロのガス消費量の総和が一定量を超えないように、各コンロの最大火力を制限する機能を設けた請求項１に記載のガスコンロ。
【請求項３】
複数のコンロ使用時に各コンロのガス消費量の総和が一定量を超えないように、使用できるコンロの口数を制限する機能を設けた請求項１に記載のガスコンロ。
【請求項４】
コンロ本体と、前記コンロ本体の上部を覆う天板と、前記コンロ本体内に設け、前記天板上に臨むバーナと燃焼用の１次空気をコンロ本体内にを送りこむファンと、前記コンロ本体内に設け、前記バーナにガスの供給、遮断とガス流量を制御して火力調節を行うガス流量制御装置および前記ガス流量制御装置を制御し、バーナの点火−消火および火力調節の指示をしさらに前記ファンの調節を指示する制御手段と、前記制御手段にバーナの点火−消火および火力調節等の信号を送る電気的接点方式の操作部とを備え、前記制御手段に複数のコンロ使用時に各コンロのガス消費量の総和が一定量を超えた場合に、ファンを作動させ１次空気の吸気を補助する機能を設けたガスコンロ。
【請求項５】
複数のコンロ使用時に各コンロのガス消費量の総和が一定量を超えないように、各コンロの火力を調節または制限した場合、あるいは各コンロのガス消費量の総和が一定量を超え、１次空気の吸気を補助するためにファンを作動させた場合に、前記火力の調節または制限状態およびファン作動状態を火力表示のＬＥＤの点滅または別の表示手段により表示した請求項１〜４のいずれか１項に記載のガスコンロ。
【発明の詳細な説明】
【技術分野】
【０００１】
本発明は、キッチンカウンターに組み込んで使用する組み込み式ガスコンロに関し、特に燃焼用の空気を確保するための火力の調整機能に係るものである。
【背景技術】
【０００２】
従来、この種のガスコンロにおける吸気の構成は、バーナを天板より高い位置に配置し、器具上面のバーナの周囲よりケース等の機器本体内部に燃焼用の空気を吸気している（例えば、特許文献１参照）。
【０００３】
図３は、特許文献１に記載された従来のガスコンロを示すものである。図３に示すように、バーナ１と、汁受け皿２と、天板３と、吸気口４とから構成されている。そして、バーナ１は、ガスと空気を混合する混合気管１ａを、天板３に上部開口を覆われてキッチンカウンター５に組み込まれたケース状の機器本体６内に設置され、燃焼部分が天板３より高い位置に配置されている。
【０００４】
しかしながら、前記従来の構成では、バーナ１の燃焼部分を天板３より高い位置に配置し、天板３の上に載せた汁受け皿２とバーナ１の間の吸気口４より機器本体６の内部に燃焼用の空気を吸気しているので、ゴトク７が高くなり見栄えが悪いとともに、バーナ１が高い位置にあるので周囲から空気が回り込みやすく高い熱効率が出ないという課題を有していた。
【特許文献１】特開２００３−０８３５１６号公報
【発明の開示】
【発明が解決しようとする課題】
【０００５】
前記背景技術の問題点に鑑み、本発明が解決しようとする課題は、複数のバーナーを有しコンロ本体への吸気の確保が必要な組み込み式ガスコンロにおいて、吸気を確保するためにゴトクを高くし熱効率を下げたり、本体に吸気用の大きな穴を設けて見栄えを悪くしたりすることなく、必要な燃焼空気を確保し燃焼でき、さらに使い勝手は損なわないよう配慮したガスコンロを提供することにある。
【課題を解決するための手段】
【０００６】
前記課題を解決するために、本発明のガスコンロは、コンロ本体と、前記コンロ本体の上部を覆う天板と、前記コンロ本体内に設け、前記天板上に臨むバーナと、前記コンロ本体内に設け、前記バーナにガスの供給、遮断とガス流量を制御して火力調節を行うガス流量制御装置および前記ガス流量制御装置を制御し、バーナの点火−消火および火力調節の指示をする制御手段と、前記制御手段にバーナの点火−消火および火力調節等の信号を送る電気的接点方式の操作部とを備え、前記制御手段に複数のコンロ使用時に各コンロのガス消費量の総和が一定量を超えないように、各コンロの火力を調節する機能を設けた構成もしくは、前記制御手段に複数のコンロ使用時に各コンロのガス消費量の総和が一定量を超えた場合に、ファンを作動させ１次空気の吸気を補助する機能を設けた構成である。
【０００７】
これによって、吸気を確保するためにゴトクを高くし熱効率を下げたり、本体に吸気用の大きな穴を設けて見栄えを悪くしたりすることなく、複数のコンロ使用時に各コンロのガス消費量の総和が一定量を超えないように、各コンロの火力を調節することにより、必要な空気量の最大値を押さえ、必要最低限の吸気穴で燃焼空気を確保することが可能になり、熱効率やデザイン性の向上に貢献できる。また、ガス消費量の総和が一定量を超えた場合に、ファンを作動させ１次空気の吸気を補助することによっても必要最低限の吸気穴で燃焼空気を確保することが可能になり、熱効率やデザイン性の向上に貢献できる。
【発明の効果】
【０００８】
本発明のガスコンロは、ガス流量制御装置およびその制御手段により、複数のコンロ使用時に各コンロのガス消費量の総和が一定量を超えないように、各コンロの火力を調節することあるいはガス消費量の総和が一定量を超えた場合に、ファンを作動させ１次空気の吸気を補助することができ、必要最低限の吸気穴で燃焼空気を確保することが可能になり、低ゴトク化や吸気穴の削減により熱効率やデザイン性の向上が図れる。
【発明を実施するための最良の形態】
【０００９】
第１の発明は、コンロ本体と、前記コンロ本体の上部を覆う天板と、前記コンロ本体内に設け、前記天板上に臨むバーナと、前記コンロ本体内に設け、前記バーナにガスの供給、遮断とガス流量を制御して火力調節を行うガス流量制御装置および前記ガス流量制御装置を制御し、バーナの点火−消火および火力調節の指示をする制御手段と、前記制御手段にバーナの点火−消火および火力調節等の信号を送る電気的接点方式の操作部とを備え、前記制御手段に複数のコンロ使用時に各コンロのガス消費量の総和が一定量を超えないように、各コンロの火力を調節する機能を設けたガスコンロである。
【００１０】
これにより、複数コンロ同時使用時のガス消費量の総和を押さえることができ、必要な空気量の最大値を押さえ、必要最低限の吸気穴で燃焼空気を確保することが可能になり、低ゴトク化や吸気穴の削減により熱効率やデザイン性の向上が図ることができるとともに、前後にバーナーが配置されている場合、優先的に使う前側のバーナーのみが使われている時には最大火力でもガス消費量の総和が一定量を超えないように設定し、使い勝手を損なわないようにできる。
【００１１】
第２の発明は、複数のコンロ使用時に各コンロのガス消費量の総和が一定量を超えないように、各コンロの最大火力を制限する機能を設けたガスコンロである。
【００１２】
これにより、第１の発明と同様に必要最低限の吸気穴で燃焼空気を確保することが可能になり、低ゴトク化や吸気穴の削減により熱効率やデザイン性の向上が図ることができるとともに、全バーナー使用時に、一番ガス消費量の大きいバーナーのみ最大火力が使用できないようにする等の設定により、制御手段を簡素化ができる。
【００１３】
第３の発明は、複数のコンロ使用時に各コンロのガス消費量の総和が一定量を超えないように、使用できるコンロの口数を制限する機能を設けたのガスコンロで、第１の発明と同様に必要最低限の吸気穴で燃焼空気を確保することが可能になり、低ゴトク化や吸気穴の削減により熱効率やデザイン性の向上が図ることができるとともに、コンロの口数を増やすことができ、料理等に合わせて使うバーナーを選ぶことができ、使い勝手を向上させることができる。
【００１４】
第４の発明は、コンロ本体と、前記コンロ本体の上部を覆う天板と、前記コンロ本体内に設け、前記天板上に臨むバーナと燃焼用の１次空気をコンロ本体内にを送りこむファンと、前記コンロ本体内に設け、前記バーナにガスの供給、遮断とガス流量を制御して火力調節を行うガス流量制御装置および前記ガス流量制御装置を制御し、バーナの点火−消火および火力調節の指示をしさらに前記ファンの調節を指示する制御手段と、前記制御手段にバーナの点火−消火および火力調節等の信号を送る電気的接点方式の操作部とを備え、前記制御手段に複数のコンロ使用時に各コンロのガス消費量の総和が一定量を超えた場合に、ファンを作動させ１次空気の吸気を補助する機能を設けたガスコンロである。
【００１５】
これにより、バーナーの同時使用時でも火力を調節することなく、必要最低限の吸気穴で燃焼空気を確保することが可能になり、さらにデザイン的にも、使い勝手においても有利である。
【００１６】
第５の発明は、第１〜第４の発明で複数のコンロ使用時に各コンロのガス消費量の総和が一定量を超えないように、各コンロの火力を調節または制限した場合、あるいは各コンロのガス消費量の総和が一定量を超え、１次空気の吸気を補助するためにファンを作動させた場合に、前記火力の調節または制限状態およびファン作動状態を火力表示のＬＥＤの点滅または別の表示手段により表示したガスコンロである。
【００１７】
これにより、さらに使い勝手や視認性を高めることができる。
【００１８】
以上のように本発明のガスコンロは、第１〜第５の発明を実施の形態の要部とすることにより本発明の目的を達成できるので、以下には各請求項に対応する実施の形態の詳細を、図１〜図３を参照して説明し本発明を実施するための最良の形態の説明とする。なお、この実施の形態によって本発明が限定されるものではない。
【００１９】
（実施の形態１）
図１は、本発明の実施の形態１における組み込み式ガスコンロの要部切欠の上面図で、図２は同組み込み式ガスコンロの概略断面図で、図３は組み込み式ガスコンロのガス流量制御部分のブロック図を示すものである。
【００２０】
図１〜図３において、機器本体であるコンロ本体１１は、箱状に成形されたケース１２で構成し、上部を天板１３で覆われている。そして、コンロ本体１１は、キッチンカウンター１４の開口部１４ａに落し込んで組み込まれ、天板１３はその外周縁を開口部１４ａの周縁部の上面に載置して設置されている。
【００２１】
ガスを燃料とするバーナ１５は、一部がケース１２内に位置して天板１３上に高く突き出ないように臨まして、天板１３の手前側の左右と、この左右間の真中にあって後側にそれぞれ配置した３個が設けられている。この３個のバーナ１５には、それぞれガス流量制御装置１６が配管され、各ガス流量制御装置１６を介してガスの供給と遮断、そしてガス流量の制御で火力調節が行われる。従って、図３では一つのバーナ１５にガスを供給するガス流量制御部分を例にして説明する。
【００２２】
ガス流量制御装置１６は、ガス流量制御板１７と、これに相対抗して左右に移動し、ガス流量制御板１７との合致する開口面積の変化で通過するガスの流量調節および供給と遮断を行うスライド閉子１８と、スライド閉子１８を作動させるモータとしてのステッピングモータ１９と、ステッピングモータ１９の回転を左右への移動に変換し、かつ単一の乾電池２個の電池電源２０で回転するステッピングモータ１９の回転力でも充分にスライド閉子１８を動かせるように増力可能なカム、ギア等の駆動力変換手段２１と、ステッピングモータ１９によるスライド閉子１８の位置を常に検出するエンコーダ２２とで構成され、ケース１２内でバーナ１５にガスを供給し易い位置に設けている。
【００２３】
制御手段２３はマイクロコンピュータおよびその周辺回路で構成され、ガス流量制御装置１６とは別個に構成されてケース１２内に設け、電力を得るため電池電源２０に接続し、かつバーナ１５のＯＮ−ＯＦＦおよび火力調節の指示を行うため、帯状のフラットケーブル２４を介してガス流量制御装置１６のステッピングモータ１９およびエンコーダ２２と接続している。
【００２４】
操作部２５は、電気接点方式のスイッチで、タクトスイッチ、静電容量スイッチ等を採用して軽く触っても動作するソフトタッチ方式に構成し、３個のバーナ１５にそれぞれ対応して設けたもので、ガス流量制御装置１６、制御手段２３とは別個に形成したものである。すなわち、操作部２５は、ガス流量制御装置１６と制御手段２３と別個に形成できるのは、ガス流量制御装置１６が電池電源２０を電源にし、かつパルス信号により回転するステッピングモータ１９により作動されるスライド閉止１８とガス流量制御板１７、エンコーダ２０で構成され、そして制御手段２３の制御の指示で動作するものであるからで、フラットケーブル２４で操作部２５を制御手段２３に電気的に接続するだけでバーナ１５のＯＮ−ＯＦＦおよび火力調節の信号を送ることが可能になる。
【００２５】
従って、操作部２５はガス流量制御装置１６、制御手段２３の設置位置に左右されることなく別個にして、バーナ１５の火炎による熱影響、操作性、視認性のみを考慮し、天板上の温度的に設置可能なバーナ１５の熱影響の少ない天板１３の上面における周辺部の一つで手前側である周辺前部１３ａに設け、制御手段２３とはフラットケーブル２４を介して接続して、使用者の手の指が触れることでバーナ１５のＯＮ−ＯＦＦおよび火力調節を行う信号を制御手段２３に送るものである。
【００２６】
また操作部２５は、天板１３の上面より僅かに盛り上げた横長の操作部設置部２６に被覆されて操作部設置部２６の上面と面一に設け、かつそれぞれのバーナ１５の点火消火操作部２５ａと火力の上げ下げを行う近接した左右の火力調節操作部２５ｂを以って構成しており、これ以外にもガスコンロに機能を付加する場合には追加されるものである。
【００２７】
表示部２７は操作部２５である火力調節操作部２５ｂの真上に近接して５段階の火力調節と点火消火の表示ができるようにＬＥＤを操作部設置部２６に並設しており、操作部２５である点火消火操作部２５ａと火力調節操作部２５ｂに使用者の指等が触れるのに連動して点灯、消灯できるようにフラットケーブル２４を介して制御手段２３に接続している。
【００２８】
なお、天板１３の一部である操作部設置部２６に設けてある操作部２５である点火消火操作部２５ａ、火力調節操作部２５ｂ、表示部２７は、その表面を樹脂製のメンブレムにより覆われ、点火消火操作部２５ａ、火力調節操作部２５ｂはその下部にタクトスイッチを搭載した基板（図示せず）を設置することにより構成され、基板にはフラットケーブル２４の一端が接続され、他端はガス流量制御装置１６の制御手段２３に接続されている。
【００２９】
また、図中３３はゴトク、３４は天板１３に設けたバーナ突出用開口部、３５はガス流量制御装置１６の手前に配管接続した元電磁弁で、ステッピングモータ１９、エンコーダ２２の故障、フラットケーブル２４の断線等の発生または電源停止等で制御不能の時にガスの供給を遮断する。３６は操作部２５と同様の構成で以って設けた操作部２５の一つである電源操作部で、ガスコンロの使用安全を図るため、電池電源２０をＯＮ、ＯＦＦする電源スイッチである。３７は放電によりバーナ１５から噴出するガスに点火する放電点火手段である。
【００３０】
以上のように構成された組み込み式ガスコンロについて、以下その動作、作用を説明する。使用者は電源操作部３６を軽く押すと、電池電源２０が制御手段２３に供給される。続いて、点火消火操作部２５ａを押すと点火の信号がフラットケーブル２４を介して制御手段２３に送られ、そして制御手段２３により表示部２７の一つが点灯されるとともに、放電点火手段３７が放電を始める。
【００３１】
また、フラットケーブル２４を介して信号が伝達されたガス流量制御装置１６のステッピングモータ１９が駆動されてスライド閉止１８が移動してガスがバーナ１５に供給され、放電を始めた放電点火手段３７により点火されバーナ１５に火炎が形成される。
【００３２】
そして、左右いずれかの火力調節操作部２５ｂを使用者が押すと、その押す回数により表示部２７の点灯数が増減し、また制御手段２３は火力調節操作部２５ｂの押す回数の信号とエンコーダ２２からのスライド閉止１８の位置に対応したステッピングモータ１９の現在置の信号をそれぞれ取り込み、スライド閉止１８をスライドさせる値を演算してステッピングモータ１９にパルス信号を送る。
【００３３】
そして、このステッピングモータ１９により作動されてガス流量制御装置１６が火力調節操作部２５ｂの設定地になるようにガス流量を制御してバーナの燃焼量が制御されて火力が調節される。この制御手段において、現在燃焼しているバーナのガス消費量の総和を計算し、火力調節操作時にその総和が一定量を超えない時には、火力調節を受け付け、一方その総和が一定量を超える場合は、火力調節を受け付けない制御を行う。バーナ１５の消火を行うときは、点火消火操作部２５ａを再び押すことで消火の信号の伝達された制御手段２３は、ステッピングモータ１９を駆動してスライド閉止１８を閉じるとともに、表示部２７も消灯するものである。
【００３４】
このように本実施の形態では、ガス消費量が一定量を超えないよう制御することが可能となり、従って給気する穴の確保が制限されるようなグリルなしのコンロの場合でも、個々のコンロの最大ガス消費量を落とすことなく、同時使用で一定火力を超えた場合のみ、使用火力が制限されるので、使い勝手を大きく妨げることなく、また、給気を確保するためにゴトクを高くし熱効率を下げたりすることなく、コンロを構成することができる。  
【００３５】
従って、熱効率の向上やデザイン性の向上に有利である。
【００３６】
また、複数のコンロ使用時に各コンロのガス消費量の総和が一定量を超えない制御手段として、各コンロの最大火力を制限する方法があり、さらに制御手段を簡素かできる。
【００３７】
また、４個以上の複数のコンロがある場合は、同時使用時に使用できるコンロの数を制限する制御方法も考えられる。搭載するコンロの口数を増やすことができ、料理等に合わせて使用するバーナーを選択することができ便利である。
【００３８】
また、別の実施形態として、複数のコンロ使用時に各コンロのガス消費量の総和が一定量を超えた場合に、コンロ本体内に設けたファンを動作させ、機器本体に設けた開口穴より、機器内部へ１次空気を送り込み、これにより、バーナーの同時使用時でも火力を調節することなく、必要最低限の吸気穴で燃焼空気を確保することが可能になり、さらにデザイン的にも、使い勝手においても有利である。
【００３９】
また、複数のコンロ使用時に各コンロのガス消費量の総和が一定量を超えないように、各コンロの火力を調節または制限した場合、あるいは各コンロのガス消費量の総和が一定量を超え、１次空気の吸気を補助するためにファンを作動させた場合に、前記火力の調節または制限状態およびファン作動状態を火力表示のＬＥＤの点滅または別の表示手段により表示することにより、さらに使い勝手や視認性を高めることができる。
【００４０】
また、上記実施の形態では本発明を組み込み式ガスコンロに採用したが、据え置き型のガステーブルの操作部にも同様の構成が適用でき、本発明と同等の作用効果を期待できるものである。
【００４１】
また、上記実施の形態ではガス流量制御装置１６としてモータにより作動されてガスの供給、遮断とガス流量の調節を行っているが、本発明はこれに限定されるものではなく、目的を達成できる範囲内で種々、変更できるものである。
【産業上の利用可能性】
【００４２】
以上のように本発明は、ガス流量制御装置およびその制御手段とは別個に操作部を天板の上面における周辺部に配置することができ、ガスコンロ、ガステーブル等の操作部分を改善する技術に適用できる。
【図面の簡単な説明】
【００４３】
【図１】本発明の実施の形態１における組み込み式ガスコンロの要部切欠の上面図
【図２】同実施の形態１における組み込み式ガスコンロの概略断面図
【図３】同実施の形態１における組み込み式ガスコンロのガス流量制御部分のブロック図
【図４】従来の組み込み式ガスコンロの概略断面図
【符号の説明】
【００４４】
１１  コンロ本体
１３  天板
１３ａ  周辺前部
１５  バーナ
１６  ガス流量制御装置
２３  制御手段
２４  フラットケーブル
２５  操作部
２５ａ  点火消火操作部
２５ｂ  火力調節操作部
２７  表示部
２８  遮熱壁
【図１】
2006317064.tif 000003
【図２】
2006317064.tif 000004
【図３】
2006317064.tif 000005
【図４】
2006317064.tif 000006